(57)【要約】各々イメージセット（２０）を表示するための複数のメインディスプレイ（１５）を有し、複数のイメージセット（２０ａ）のうちの１つにおける関心オブジェクト（３０）の第１の位置をユーザから受信するためのユーザインタラクティブシステムを有し、他のイメージセット（１５ｂ）のうちの少なくとも１つにおける対応する第２の関心ボリューム（４０ｂ）の、前記第１の位置に対応する第２の位置を発見し表示するための相関システムを有するグラフィカルユーザインターフェース（１０）が開示される。
2005518916.tif 000002
【特許請求の範囲】
【請求項１】
グラフィカルユーザインターフェースにおいて、
各々イメージセットを表示するための複数のメインディスプレイを有し、
複数のイメージセットのうちの１つにおける関心オブジェクトの第１の位置をユーザから受信するためのユーザインタラクティブシステムを有し、
他のイメージセットのうちの少なくとも１つにおける対応する第２の関心ボリュームの、前記第１の位置に対応する第２の位置を発見し表示するための相関システムを有する、グラフィカルユーザインターフェース。
【請求項２】
第１の関心ボリュームは前記関心オブジェクトの前記第１の位置の周りに定められる、請求項１記載のグラフィカルユーザインターフェース。
【請求項３】
第１及び第２の関心ボリュームはシェーデッドサーフィスディスプレイ（Shaded Surface Display）として描写される、請求項２記載のグラフィカルユーザインターフェース。
【請求項４】
複数のイメージセットはシェーデッドサーフィスディスプレイとして描写される、請求項１記載のグラフィカルユーザインターフェース。
【請求項５】
自由な視点によって複数の関心ボリュームを検査することをユーザに可能にするディスプレイをさらに有する、請求項１記載のグラフィカルユーザインターフェース。
【請求項６】
複数のイメージセットのうちの少なくとも１つのイメージセットの画像特性を表示するための１つ以上のデータウィンドウをさらに有する、請求項１記載のグラフィカルユーザインターフェース。
【請求項７】
２つ以上のイメージセットの同期化されたスクローリングのためのロックスクローリングシステムをさらに有する、請求項１記載のグラフィカルユーザインターフェース。
【請求項８】
２つ以上のカートホイールプロジェクションスピンウィンドウ（cartwheel projection spin window）の並列表示のためのカートホイールプロジェクションシステムをさらに有する、請求項１記載のグラフィカルユーザインターフェース。
【請求項９】
関心オブジェクトの物理的特性を表示するための第１の特性ディスプレイを有し、
第２の関心ボリューム内に配置された第２の関心オブジェクトの物理的特性を表示するための第２の特性ディスプレイを有し、
前記第１及び第２の特性ディスプレイは並んで表示されうる、請求項１記載のグラフィカルユーザインターフェース。
【請求項１０】
オブジェクト対応システムのためのグラフィカルユーザインターフェースに対する方法ステップを実施するためのマシンにより実行可能な命令のプログラムを具体的に収納する、マシンにより読み取り可能なプログラム格納デバイスにおいて、
各々イメージセットを表示するための複数のメインディスプレイを設ける方法ステップ、
複数のイメージセットのうちの１つにおける関心オブジェクトの第１の位置をユーザから受信する方法ステップ、
相関システムから第２の関心ボリュームの第２の位置を受信する方法ステップを有し、前記第２の位置は前記第１の位置に対応する、オブジェクト対応システムのためのグラフィカルユーザインターフェースに対する方法ステップを実施するためのマシンにより実行可能な命令のプログラムを具体的に収納する、マシンにより読み取り可能なプログラム格納デバイス。
【請求項１１】
第１の関心ボリュームは前記関心オブジェクトの前記第１の位置の周りに定められる、請求項１０記載の格納デバイス。
【請求項１２】
第１及び第２の関心ボリュームはシェーデッドサーフィスディスプレイとして描写される、請求項１１記載の格納デバイス。
【請求項１３】
複数のイメージセットはシェーデッドサーフィスディスプレイとして描写される、請求項１０記載の格納デバイス。
【請求項１４】
同期して３Ｄで自由な視点によって複数の関心ボリュームを検査することをユーザに可能にするマシンリーダブルコードをさらに有する、請求項１１記載の格納デバイス。
【請求項１５】
複数のイメージセットのうちの少なくとも１つのイメージセットにおける関心ボリュームの画像特性を表示するための１つ以上のデータウィンドウをさらに有する、請求項１０記載の格納デバイス。
【請求項１６】
２つ以上のイメージセットの同期化されたスクローリングのためのマシンリーダブルコードをさらに有する、請求項１０記載の格納デバイス。
【請求項１７】
２つ以上のカートホイールプロジェクションスピンウィンドウの並列表示のためのマシンリーダブルコードをさらに有する、請求項１０記載の格納デバイス。
【請求項１８】
関心オブジェクトの物理的特性を表示するための第１の特性ディスプレイを設け、
第２の関心ボリューム内に配置された第２の関心オブジェクトの物理的特性を表示するための第２の特性ディスプレイを設け、
前記第１及び第２の特性ディスプレイを並んで表示するためのマシンリーダブルコードをさらに有する、請求項１０記載の格納デバイス。
【請求項１９】
オブジェクト対応識別システムのためのユーザによるグラフィカルなインターフェーシングの方法において、
各々イメージセットを表示するための複数のメインディスプレイを設けるステップを有し、
複数のイメージセットのうちの１つにおける関心オブジェクトの第１の位置をユーザから受信するステップを有し、
相関システムから第２の関心ボリュームの第２の位置を受信するステップを有し、前記第２の位置は前記第１の位置に対応する、オブジェクト対応識別システムのためのユーザによるグラフィカルなインターフェーシングの方法。
【請求項２０】
第１の関心ボリュームは関心オブジェクトの第１の位置の周りに定められる、請求項１９記載の方法。
【請求項２１】
第１及び第２の関心ボリュームはシェーデッドサーフィスディスプレイとして描写される、請求項２０記載の方法。
【請求項２２】
関心ボリュームはシェーデッドサーフィスディスプレイとして描写される、請求項１９記載の方法。
【請求項２３】
同期して自由な視点によって３Ｄで複数の関心ボリュームを検査することを提供することをさらに有する、請求項１９記載の方法。
【請求項２４】
複数のイメージセットの少なくとも１つのイメージセットの画像特性を表示するための１つ以上のデータウィンドウをさらに有する、請求項１９記載の方法。
【請求項２５】
２つ以上のイメージセットの同期化されたスクローリングのためのロックスクローリングシステムを設けることをさらに有する、請求項１９記載の方法。
【請求項２６】
２つ以上のカートホイールプロジェクションスピンウィンドウの並列表示のためにカートホイールプロジェクションシステムを設けることをさらに有する、請求項１９記載の方法。
【請求項２７】
関心オブジェクトの物理的特性を表示するための第１の特性ディスプレイを設け、
第２の関心ボリューム内に配置された第２の関心オブジェクトの物理的特性を表示するための第２の特性ディスプレイを設け、
前記第１及び第２の特性ディスプレイを並べて表示することをさらに有する、請求項１９記載の方法。
【発明の詳細な説明】
【技術分野】
【０００１】
本発明は一般的にコンピュータトモグラフィ（ＣＴ）ボリュームデータセット間のオブジェクト対応識別のためのグラフィカルユーザインターフェースに関し、とりわけＣＴボリュームデータセット間の肺小結節（lung nodule）対応識別に関する。
【０００２】
本発明の背景
肺コンピュータトモグラフィ（ＣＴ）技術は肺ガンのスクリーニング及び診断において広く医師により使用されている。肺ＣＴイメージから、医師は小結節を探し、形状、サイズ等々を含む小結節の統計値に基づいてそれらの悪性度について判定を下すことができる。非常に重要な情報要素は、形状、サイズ及び密度における変化のような時間に亘る小結節の状態変化である。最も重要な定量的測定値のうちの１つは一定期間の間の肺小結節の成長速度である。それゆえ、異なるタイムフレームでキャプチャされた２つ以上の肺ＣＴイメージセットにおける同一の小結節の対応（correspondence）を識別することが非常に重要である。
【０００３】
これまでは、この作業は手動で行われてきた。それゆえ、膨大なデータ量のために時間がかかり、スローでエラーが起こりやすい。ＣＴデータは３Ｄイメージなので、達成可能であったとしても、この作業は医師には非常に困難となる。現代の臨床実務においては、医師は１つずつ３Ｄイメージデータの２Ｄスライスを詳細に調べて２つのイメージセットにおける小結節の対応を発見しようと努めることが要求される。単一データセットに対するスライスの数は数百にのぼり、単一スライスは２５００００ピクセルを含む。さらに、ＣＴ検査における患者のイメージングコンディションは変化しうるし、器官及び肉体は２つのこのような検査の間に変形しうる。多くの場合、一定期間の後で小結節が消滅してしまったか又はまだ存在するかを述べるのは難しい。なぜなら、医師はイメージ間の対応を識別することができないからである。
【０００４】
大きな３Ｄイメージデータからの局所的関心ボリューム（ＶＯＩ＝volumes-of-interest）の高速なレジストレーションは、肺ＣＴ画像分析のためのシステムのような医療画像分析システムにおいて頻繁に必要とされる。例えば、肺ガンのスクリーニング及び診断の際に、非常に重要な情報要素は新しい小結節の存在、以前示された小結節の欠如及び肺小結節の成長速度である。それゆえ、異なるタイムフレームでキャプチャされた２つ以上の肺ＣＴイメージセットにおける同一の小結節の対応を識別することは非常に重要である。大抵の場合、小結節及びその周囲の構造物の特性は局所的に明確であり、それゆえ局所的ＶＯＩのレジストレーションは小結節の対応の識別のためには十分である。
【０００５】
本発明の課題は、グラフィカルユーザインターフェース（ＧＵＩ）を提供することであり、このグラフィカルユーザインターフェース（ＧＵＩ）は１つのイメージセットにおける関心オブジェクトをユーザが直ちに識別することを可能にする２つ以上のイメージセットの便利な検査を提供し、これによってフルボリュームレジストレーションを回避し２つの局所的ＶＯＩの高速かつ正確なレジストレーションを行う自動化されたシステムによって残りのイメージセットにおける対応する関心領域を自動的に識別する。このＧＵＩは２つのデータセットにおけるスライスの同期化されたスクローリングのような検査及び比較を促進する様々な機能セットも提供するべきである。
【０００６】
本発明の概要
本発明によるグラフィカルユーザインターフェース（ＧＵＩ）が開示され、このグラフィカルユーザインターフェース（ＧＵＩ）は、各々イメージセットを表示するための複数のメインディスプレイを有し、複数のイメージセットのうちの１つにおける関心オブジェクトの第１の位置をユーザから受信するためのユーザインタラクティブシステムを有し、他のイメージセットのうちの少なくとも１つにおける対応する第２の関心ボリュームの、前記第１の位置に対応する第２の位置を発見し表示するための相関システムを有する。
【０００７】
このＧＵＩの別の局面においては、第１の関心ボリュームは関心オブジェクトの第１の位置の周りに定められる。
【０００８】
このＧＵＩの別の局面においては、第１及び第２の関心ボリュームはシェーデッドサーフィスディスプレイ（Shaded Surface Display）として描写される。
【０００９】
このＧＵＩの別の局面においては、複数のイメージセットはシェーデッドサーフィスディスプレイとして描写される。
【００１０】
このＧＵＩの別の局面は、自由な視点によって複数の関心ボリュームを検査することをユーザに可能にするディスプレイをさらに有する。
【００１１】
このＧＵＩの別の局面は、複数のイメージセットのうちの少なくとも１つのイメージセットの画像特性を表示するための１つ以上のデータウィンドウをさらに有する。
【００１２】
このＧＵＩの別の局面は、２つ以上のイメージセットの同期化されたスクローリングのためのロックスクローリングシステム（lock-scrolling system）をさらに有する。
【００１３】
このＧＵＩの別の局面は、２つ以上のカートホイールプロジェクションスピンウィンドウ（cartwheel projection spin window）の並列表示のためのカートホイールプロジェクションシステムをさらに有する。
【００１４】
このＧＵＩの別の局面は、関心オブジェクトの物理的特性を表示するための第１の特性ディスプレイを有し、第２の関心ボリューム内に配置された第２の関心オブジェクトの物理的特性を表示するための第２の特性ディスプレイを有し、第１及び第２の特性ディスプレイは並んで表示されうる。
【００１５】
オブジェクト対応システムのためのグラフィカルユーザインターフェースに対する方法ステップを実施するためのマシンにより実行可能な命令のプログラムを具体的に収納する、マシンにより読み取り可能なプログラム格納デバイスが開示され、これらの方法ステップは、各々イメージセットを表示するための複数のメインディスプレイを設けること、複数のイメージセットのうちの１つにおける関心オブジェクトの第１の位置をユーザから受信すること、相関システムから第２の関心ボリュームの第２の位置を受信することを有する。さらにこの第２の位置は第１の位置に対応する。
【００１６】
この格納デバイスの別の局面においては、第１の関心ボリュームは関心オブジェクトの第１の位置の周りに定められる。
【００１７】
この格納デバイスの別の局面においては、第１及び第２の関心ボリュームはシェーデッドサーフィスディスプレイとして描写される。
【００１８】
この格納デバイスの別の局面においては、複数のイメージセットはシェーデッドサーフィスディスプレイとして描写される。
【００１９】
この格納デバイスの別の局面は、同期して３Ｄで自由な視点によって複数の関心ボリュームを検査することをユーザに可能にする機能をさらに有する。
【００２０】
この格納デバイスの別の局面は、複数のイメージセットのうちの少なくとも１つのイメージセットにおける関心ボリュームの画像特性を表示するための１つ以上のデータウィンドウをさらに有する。
【００２１】
この格納デバイスの別の局面は、２つ以上のイメージセットの同期化されたスクローリングのためのマシンリーダブルコードをさらに有する。
【００２２】
この格納デバイスの別の局面は、２つ以上のカートホイールプロジェクションスピンウィンドウの並列表示のためのマシンリーダブルコードをさらに有する。
【００２３】
この格納デバイスの別の局面は、関心オブジェクトの物理的特性を表示するための第１の特性ディスプレイを設け、第２の関心ボリューム内に配置された第２の関心オブジェクトの物理的特性を表示するための第２の特性ディスプレイを設け、第１及び第２の特性ディスプレイを並んで表示するためのマシンリーダブルコードをさらに有する。
【００２４】
オブジェクト対応識別システムのためのユーザによるグラフィカルなインターフェーシングの方法が開示され、この方法は、各々イメージセットを表示するための複数のメインディスプレイを設けるステップを有し、複数のイメージセットのうちの１つにおける関心オブジェクトの第１の位置をユーザから受信するステップを有し、相関システムから第２の関心ボリュームの第２の位置を受信するステップを有し、第２の位置は第１の位置に対応する。
【００２５】
本発明のこの方法の別の局面においては、第１の関心ボリュームは関心オブジェクトの第１の位置の周りに定められる。
【００２６】
本発明のこの方法の別の局面においては、第１及び第２の関心ボリュームはシェーデッドサーフィスディスプレイとして描写される。
【００２７】
本発明のこの方法の別の局面においては、関心ボリュームはシェーデッドサーフィスディスプレイとして描写される。
【００２８】
本発明のこの方法の別の局面は、同期して３Ｄで自由な視点によって複数の関心ボリュームを検査することを提供することをさらに有する。
【００２９】
本発明のこの方法の別の局面は、複数のイメージセットの少なくとも１つのイメージセットの画像特性を表示するための１つ以上のデータウィンドウをさらに有する。
【００３０】
本発明のこの方法の別の局面は、２つ以上のイメージセットの同期化されたスクローリングのためのロックスクローリングシステムを設けることをさらに有する。
【００３１】
本発明のこの方法の別の局面は、２つ以上のカートホイールプロジェクションスピンウィンドウの並列表示のためのカートホイールプロジェクションシステムを設けることをさらに有する。
【００３２】
本発明のこの方法の別の局面は、関心オブジェクトの物理的特性を表示するための第１の特性ディスプレイを設け、第２の関心ボリューム内に配置された第２の関心オブジェクトの物理的特性を表示するための第２の特性ディスプレイを設け、第１及び第２の特性ディスプレイを並んで表示することをさらに有する。
【００３３】
図面の短い記述
図１は本発明のグラフィカルユーザインターフェースの実施例を示す。
【００３４】
図２は実例となる検出された対応のＳＳＤを示す。
【００３５】
図３は本発明の実施例のフローチャートを示す。
有利な実施例の詳細な記述
本発明では、２つのイメージセット間のオブジェクト対応の識別が自動化され、これによりプロシージャがより正確かつ客観的になる。同時に２つ以上のボリュームイメージデータセットを表示することができるグラフィカルユーザインターフェース（ＧＵＩ）が設けられる。医師は本発明を使用して１つのイメージセットにおけるオブジェクトをクリックすることができ、システムがこのクリックポイントの周りの関心ボリュームを定め、ついで他のイメージセットにおける対応する関心ボリュームを自動的に識別する。識別は解剖学的構造物に富んだ２つの関心ボリューム間で行われるので、ユーザは容易にこれらのボリュームにおけるオブジェクトの対応を識別することができ、もしくは、確信をもって対応する関心ボリュームにおけるオブジェクトが２つのコンピュータトモグラフィ（ＣＴ）スキャンの間の時間を介して消えたことを判定することができる。第２に、対応識別はリアルタイムであり、つまり、関心ボリュームの対応は小結節のクリックの際に直ちに行われる。
【００３６】
本発明はとりわけ肺小結節追跡のようなメディカルイメージングに有効である。一人の患者の肺の２つのスキャンがＧＵＩにおいて並んで示され、ユーザが１つのイメージセットの小結節の上をクリックすると、システムが自動的に他のイメージセットにおける対応する位置を識別する。医師は直ぐに小結節が変化しているか、移動しているか、又は単に消滅しているかを見ることができる。有利にはそれらの特性の測定値を有する関心小結節も並んで表示される。
【００３７】
図１を参照すると、新しいＧＵＩ１０が開示されている。この新しいＧＵＩ１０は先行提出された２つの共に指定された米国特許出願、すなわち、Novak et al., Interactive Computer-Aided Diagnosis Method and System For Assisting Diagnosis of Lung Nodules in Digital Volumetric Medical Image sets, USSN09/840267, filed April 23, 2001及びNovak et al., Computer-Aided Diagnosis Method for Aiding Diagnosis of Three Dimensional Digital Image Data, USSN09/606564, filed June 29, 2000からのＧＵＩデザインに基づいている。これら２つの特許出願の開示はそっくりそのまま本発明の参考文献である。これらの特許において開示されたＧＵＩはＣＴ肺イメージセットの表示、スクロール、スピン及びサーフィスシェーデッドディスプレイ（ＳＳＤ）レンダリングを可能にする。２つのこのようなＧＵＩを並んで置くこと及び新しい機能を増大することによって、我々は本発明の新しいＧＵＩを構成する。
【００３８】
実施例のようなメディカルイメージングを使用して、同じ患者に対する２つ以上のイメージセット２０が比較のためにメインディスプレイウィンドウ１５に表示され、各々は異なる時点における患者の肺を表している。これらのイメージセットは有利には３次元であり、つまりユーザがマウスの真ん中のボタンを押してマウスを動かすこと又は他の周知のＧＵＩインタラクティブ手段のようなインタラクティブ手段によって各イメージセットの複数のスライスをスクロールすることができるのである。ユーザはまたいずれかのイメージセットの関心オブジェクト３０を選択し、この関心オブジェクトを中心とする関心ボリューム（ＶＯＩ）４０においてスピン５０又はサーフィスレンダリング６０を実行することもできる。これらの機能は先に引用したインタラクティブコンピュータ援用診断（Interactive Computer-Aided Diagnosis＝ＩＣＡＤ）特許において提供されるが、今はただ一つのイメージセットではなく複数のイメージセットに対して同時に利用されうる。有利な実施形態では、スピン機能がユーザによって選択されるとスピンウィンドウ５０がポップアップし、ユーザ入力によって終了される。
【００３９】
有利には、本発明のＧＵＩはユーザにロックスクローリングモード（lock-scrolling mode）の選択を可能にするような付加的な機能を提供する。このモードでは、ユーザが１つのイメージセットの複数のスライスをスクロールする時に、他の（複数の）イメージセットの対応する複数のスライスが他の（複数の）ディスプレイウィンドウに表示される。言い換えると、本発明はイメージセット間のスライスの同期化されたスクローリングのためのシステムを提供する。本発明は有利には２つ以上のカートホイールプロジェクションスピンウィンドウ（cartwheel projection spin windows）５０が、各イメージセットに１つ、同時に並んで表示されることを可能にするシステムを有し、この結果、ユーザは２つの関心ボリューム（ＶＯＩ）の対応するプロジェクション角度を調整することができる。これはユーザが視覚的に２つのＶＯＩの中の構造物を比較することを助ける。加えて、様々なディスプレイ７０がスクリーン上に設けられて関心オブジェクトの現在の位置、オブジェクトのサイズ、成長速度のような有用なパラメータ及び測定値を指示することができる。ここでは、特性ディスプレイ７０が示されており、２つの並んだ関心オブジェクトの物理的特性をユーザが比較できるようにする。様々なコントロール８０がスライス深度、自由な視点によるＶＯＩのレンダリング及びその他の表示機能を制御するために設けられる。「自由な視点」とは、３Ｄ画像が自由に回転され、あらゆる視点からＶＯＩを見ることを可能にし、視点の数が実質的に無制限であることを意味している。
【００４０】
本発明のＧＵＩ１０は新しいコア機能を有し、この新しいコア機能はすなわち１つのイメージセットの中の関心オブジェクトの選択によってシステムがこの関心オブジェクトの位置に対応する位置を中心とする他方のイメージセットにおける関心ボリュームを定める。例えば、図１を再び参照すると、左側メインディスプレイウィンドウ１５ａにおいて、ユーザが小結節３０を選択し、ユーザインタラクティブサブシステムがユーザの入力を受け取り、この小結節に関連する第１の関心ボリューム４０ａをマークする。次いで、対応する第２の関心ボリューム４０ｂが、対応識別サブシステムによって右上のディスプレイのもう一方のイメージセットにおいて自動的に識別されマークされる。これは、共に指定された米国特許出願Shen et al., Object Correspondence Identification Without Full Volume Registration, attorney docket No.2002P02203US, filed February 7, 2002に開示されているように本発明のＧＵＩシステムにこの位置の正確なロケーションか又は推定されたロケーションかを提供することによって達成される。この特許出願の開示はそっくりそのまま本発明の参考文献である。２つの対応する関心ボリュームのシェーデッドサーフィスディスプレイ（ＳＳＤ）及び測定値はユーザの比較を促すために並んで２つの下部のディスプレイウィンドウ６０ａ及び６０ｂにおいて描写される。
【００４１】
システムは有利にはユーザが２つの小結節及びＶＯＩの特性を視覚的に比較するために同期して自由な視点によって２つのＳＳＤを検査することを可能にする。周囲構造物も有利には対応の正当性を示すために表示される。オブジェクトの幾何学的特性は有利には比較のためにデータウィンドウ７０に表示される。それゆえ、関心オブジェクトが肺小結節であるここに図示された例では、幾何学的特性を検査することによって、システムは容易に時間に亘るこの小結節の成長速度を計算することができる。もし小結節が１つの関心ボリュームに存在しないならば、医師は自信をもってそれは検出されなかったのではなく消えたのだという結論を出すことができる。なぜなら、周囲構造物が２つの関心ボリューム４０の間で正確なマッチを示しているからである。
【００４２】
対応マッチングは有利には両方の方向で行われうるだろう。つまり、ユーザが第２のイメージセット２０ｂにおいて小結節をクリックして選択し、関心ボリュームが自動的に第１のイメージセット２０ａに現れる。
【００４３】
図２を参照すると、ＳＳＤで描写されたオンライン検出対応が示されている。３つの異なるケースが示されている。ディスプレイ１００の一番上の行には、２つの対応する小結節３０が表示されており、両方は有利には色によって又は図示されているように対角線のようなパターニングによってなんらかの仕方でマーキングされる。これはソフトウェアが両方の関心オブジェクトが探索されているオブジェクトの判定基準に合致すると判断したことをユーザに指示する。我々の肺の例では、それはオブジェクトが小結節の判定基準に合致することを意味する。小結節の成長速度は２つの対応する小結節のボリューム及び時間間隔から計算されうる。ディスプレイの第２セット１１０では、２つの対応するオブジェクト３０、３０’が検出されるが、これらのうちの１つ３０’が別の色又は図示されているような垂直線のようなパターンによってのように異なるやり方でマーキングされる。これは、第２のオブジェクト３０’が小結節の判定基準に合致しないとソフトウェアが判断したことをユーザに指示する。一番下の行の画像の第３のペア１２０では、関心オブジェクト３０が右側のＶＯＩから消滅している。周囲構造物から我々は２つのＶＯＩの間の正確な対応をはっきりと見ることができ、さらに我々は小結節は時間がたって無くなっていると結論することができる。
【００４４】
図３は本発明の実施例のフローチャートであり、どのようにＧＵＩのコマンドフローが行われるかを示している。といっても、もちろんプログラミング技術ではコマンドフローの多くの可能な変形が存在する。図３を参照すると、イメージセットが２００でロードされる。イメージセットをローディングするこのステップは、代わりにファイル操作としてボックス２４０からも実行されうるだろう。フローにおいて、ボックス２１０ではＧＵＩがユーザコマンドを待ちうけている。このユーザコマンドは（１）関心オブジェクトのクリック又は（２）ディスプレイの変更のためのユーザ入力又は（３）メニューオプションである。ボックス２１０は一般的にイベントドリブンされる。他のボックスは上述したようにコマンドの実行のフロー及びボックス２１０へのリターンを示す。オプション１で、フローはボックス２２０に行き、このボックス２２０では相関システムが呼び出されて第２のイメージセットにおける対応するＶＯＩの位置を探し当てる。第１のＶＯＩは第１の関心オブジェクトの周りに定められる。フローは次にボックス２３０に行き、そこではコントロールフローがボックス２１０のユーザにリターンする前にＶＯＩ及びオブジェクト特性が表示される。オプション２で、コントロールフローがユーザにリターンする前に上述のいずれか１つ以上のディスプレイ変化がボックス２５０においてリアルタイムで実行される。オプション３で、いずれか１つの標準又は特別メニュー操作がボックス２４０において実行され、これはファイル操作（例えばファイル開く、ファイル閉じる、ファイルをセーブなど）、ユーザ及びプログラム設定、ヘルプファイルへのアクセス又は単にプログラム終了のような通常の操作を含む。
【００４５】
それゆえ、本発明は小結節対応識別及び今後は肺ガンのスクリーニング及び診断の品質を大いに改善するであろうことが示されている。結局、臨床的な処理量及び診断精度が大いに改善されるだろう。
【００４６】
本発明は２つのイメージセットに関して記述されたが、本発明の原理は容易により多くのイメージセットへと拡張されうる。
【００４７】
本発明の方法はコンピュータのようなマシンにより読み取り可能かつ実行可能な命令のプログラムとして実装され、コンピュータメモリデバイスのようなマシンにより読み取り可能な媒体において具体的に収納及び格納されうる。
【００４８】
ここで開示された全ての物理量は別に明示的に規定してなければ開示された量に正確に等しいと解釈されるべきではなく、むしろ開示された量にほぼ等しいと解釈されるべきであると理解してもらいたい。さらに「ほぼ」などのような修飾語の単なる欠如は、このような修飾語がここで開示された他のなんらかの物理量に関して使用されているかどうかには関係なく、このような開示された物理量が正確な量であるという明示的な指示として解釈されるべきではない。
【００４９】
有利な実施例が示され記述されたが、様々な修正及び置換が本発明の精神及び展望から離れることなくこれに行われうる。よって、本発明は、図示によって記述されただけであり、このような図示及びここで開示されたような実施例は請求項への限定として解釈されるべきではないと理解してもらいたい。
【図面の簡単な説明】
【００５０】
【図１】本発明のグラフィカルユーザインターフェースの実施例を示す。
【図２】実例となる検出された対応のＳＳＤを示す。
【図３】本発明の実施例のフローチャートを示す。
【符号の説明】
【００５１】
１０  ＧＵＩ
１５  メインディスプレイウィンドウ
２０  イメージセット
３０  関心オブジェクト、小結節
４０  関心ボリュームＶＯＩ
４０ａ  第１の関心ボリューム
４０ｂ  第２の関心ボリューム
５０  スピン、スピンウィンドウ
６０  サーフィスレンダリング
７０  特性ディスプレイ、データウィンドウ
８０  コントロール
１００  ディスプレイ
１１０  ディスプレイ
１２０  イメージ
２１０  フローボックス
【図２】
2005518916.tif 000003
【図３】
2005518916.tif 000004
【図１】
2005518916.tif 000005
【国際調査報告】
2005518916.tif 000006
2005518916.tif 000007
2005518916.tif 000008